(57)【要約】【課題】  ネクタイを傷めることなくワイシャツに留めることができ、また、ボタンにしっかりと取り付けることができるとともに、その取り付け、取り外しを容易に行うことができるネクタイ留め具を提供する。【解決手段】  ネクタイ５をワイシャツ６に留めるためのネクタイ留め具１であって、ネクタイ５が挿通されるループ状のネクタイ装飾具２と、このネクタイ装飾具２に連結され、ワイシャツ６のボタン７に掛け止めされるボタン掛止め具４と、を備え、ボタン掛止め具４は、開口部１１を有し、ボタン７の裏側の糸８に、開口部１１を介して掛けられるフック９と、このフック９に回動自在に設けられ、フック９に係合することによって開口部１１を閉鎖するとともに、フック９との係合を解除することによって開口部１１を開放する開閉部材１０と、を有している。【選択図】  図２
0003115840.tif 000002
【実用新案登録請求の範囲】
【請求項１】
ネクタイをワイシャツに留めるためのネクタイ留め具であって、
前記ネクタイが挿通されるループ状のネクタイ装飾具と、
このネクタイ装飾具に連結され、前記ワイシャツのボタンに掛け止めされるボタン掛止め具と、を備え、
当該ボタン掛止め具は、開口部を有し、前記ボタンの裏側の糸に、前記開口部を介して掛けられるフックと、
このフックに回動自在に設けられ、当該フックに係合することによって前記開口部を閉鎖するとともに、前記フックとの係合を解除することによって前記開口部を開放する開閉部材と、
を有していることを特徴とするネクタイ留め具。
【請求項２】
前記フックは、凸部を有し、
前記開閉部材は、前記凸部に抜け止め状態で係合するスリットを有していることを特徴とする、請求項１に記載のネクタイ留め具。
【請求項３】
前記フックは、凸部および凹部の一方を有し、
前記開閉部材は、前記一方に抜け止め状態で係合する凸部および凹部の他方を有することを特徴とする、請求項１に記載のネクタイ留め具。
【請求項４】
前記フックは、前記開閉部材が係合しているときに当該開閉部材をその回動支点と反対の径方向に付勢するばね性を有していることを特徴とする、請求項１に記載のネクタイ留め具。
【考案の詳細な説明】
【技術分野】
【０００１】
本考案は、ネクタイをワイシャツに留めるためのネクタイ留め具に関する。
【背景技術】
【０００２】
従来、ネクタイ留め具として、ネクタイをその前後から挟むクリップ式のものが知られている。このネクタイ留め具は、ネクタイとワイシャツの前側の重ね合わせ部分とを前後から挟むことによって、ネクタイをワイシャツに留めるようになっており、そのため、その挟む力が強い場合には、ネクタイを傷めてしまう。このような不具合を解消するために、従来、例えば特許文献１に開示されたものが知られている。
【０００３】
このネクタイ留め具は、布からなる細長い帯状の留め具本体と、その両端部にそれぞれ設けられ、紐からなるループ状の２つの掛止め部で構成されている。各掛止め部は、その内側にワイシャツのボタンを通せるように形成されている。このネクタイ留め具によってネクタイをワイシャツに留める場合には、まず、ワイシャツの１つのボタンを掛止め部の内側に通すようにして、両掛止め部を１つずつ順にボタンに掛ける。これにより、留め具本体は、ワイシャツの前方でループ状になる。そして、この留め具本体の内側にネクタイを上から通す。逆に、ネクタイ留め具をワイシャツから取り外す場合には、ボタンを掛止め部の内側から抜くようにして、両掛止め部をボタンから取り外す。このように、このネクタイ留め具をワイシャツに着脱する際には、２つの掛止め部をそれぞれ、ボタンに掛けたり、ボタンから取り外したりするので、ネクタイ留め具の着脱作業が煩雑である。
【０００４】
また、ボタンへの着脱作業が容易なネクタイ留め具として、部分的に開口し、その開口部を介してボタンに掛け止めされるフックを有するものが知られている。しかし、このようなフックを有するネクタイ留め具でネクタイをワイシャツに留めた場合には、そのワイシャツを着ている者の動作によっては、フックが、開口部を介して、ボタンから外れてしまうことがある。また、このようなフックを有するネクタイ留め具のネクタイに装着される部分が、ネクタイを内側に通すためのループ状に形成されている場合には、フックがボタンから外れると、ネクタイ留め具全体がワイシャツおよびネクタイから外れ、それにより、ネクタイ留め具を紛失するおそれがある。
【０００５】
本考案は、上記の課題を解決するためになされたものであり、ネクタイを傷めることなくワイシャツに留めることができ、また、ボタンにしっかりと取り付けることができるとともに、その取り付け、取り外しを容易に行うことができるネクタイ留め具を提供することを目的とする。
【０００６】
【特許文献１】特開２００３−３８２１１号公報
【考案の開示】
【課題を解決するための手段】
【０００７】
この目的を達成するため、請求項１に係る考案は、ネクタイをワイシャツに留めるためのネクタイ留め具であって、ネクタイが挿通されるループ状のネクタイ装飾具と、このネクタイ装飾具に連結され、ワイシャツのボタンに掛け止めされるボタン掛止め具と、を備え、ボタン掛止め具は、開口部を有し、ボタンの裏側の糸に、開口部を介して掛けられるフックと、このフックに回動自在に設けられ、フックに係合することによって開口部を閉鎖するとともに、フックとの係合を解除することによって開口部を開放する開閉部材と、を有していることを特徴とする。
【０００８】
このネクタイ留め具によれば、ネクタイ装飾具がループ状であるので、その内側にネクタイを挿通することによって、ネクタイ装飾具をネクタイに装着でき、これにより、ネクタイ留め具によって、ネクタイを傷めることなく、ワイシャツに留めることができる。また、ボタン掛止め具は、開口部を有するフックを備えているので、その開口部を介して、フックをボタンの裏側の糸に掛けたり、外したりすることができる。さらに、フックには、開口部を開閉する回動自在の開閉部材が設けられているので、フックをボタンの裏側の糸に掛けた後、開閉部材を回動させ、フックに係合させることにより、開口部が閉鎖される。これにより、ボタン掛止め具をボタンにしっかりと掛け止めすることができる。逆に、ボタン掛止め具をボタンから取り外す際には、開閉部材を回動させ、フックとの係合を解除することにより、開口部が開放される。これにより、ボタン掛止め具を、フックの開口部を介して、ボタンから容易に取り外すことができる。
【０００９】
請求項２に係る考案は、請求項１に記載のネクタイ留め具において、フックは、凸部を有し、開閉部材は、凸部に抜け止め状態で係合するスリットを有していることを特徴とする。
【００１０】
この構成によれば、開閉部材がフックに係合したときには、開閉部材のスリットがフックの凸部に対して抜け止め状態になるので、フックの開口部を開閉部材によって強固に閉鎖することができる。これにより、ボタンに掛け止めされたボタン掛止め具は、ボタンから外れることなく、よりしっかりとボタンに掛け止めされる。
【００１１】
請求項３に係る考案は、請求項１に記載のネクタイ留め具において、フックは、凸部および凹部の一方を有し、開閉部材は、一方に抜け止め状態で係合する凸部および凹部の他方を有することを特徴とする。
【００１２】
この構成によれば、開閉部材がフックに係合したときには、フックの凸部および凹部の一方に対して、開閉部材の凸部および凹部の他方が抜止め状態になるので、上記請求項２と同様に、フックの開口部を開閉部材によって強固に閉鎖でき、ボタン掛止め具を、よりしっかりとボタンに掛け止めすることができる。
【００１３】
請求項４に係る考案は、請求項１に記載のネクタイ留め具において、フックは、開閉部材が係合しているときに開閉部材をその回動支点と反対の径方向に付勢するばね性を有していることを特徴とする。
【００１４】
この構成によれば、開閉部材がフックに係合している状態において、フックが、そのばね性により、開閉部材をその回動支点と反対の径方向に付勢するので、開閉部材がフックに、よりしっかりと係合し、その係合が解除されにくくなる。これにより、フックの開口部を開閉部材によって強固に閉鎖でき、ボタン掛止め具を、よりしっかりとボタンに掛け止めすることができる。
【考案を実施するための最良の形態】
【００１５】
以下、図面を参照しながら、本考案の好ましい実施形態を詳細に説明する。図１は、本考案の第１実施形態によるネクタイ留め具を用い、ネクタイをワイシャツに留めた状態を示している。このネクタイ留め具１は、ネクタイ５に装着される装飾チェーン２（ネクタイ装飾具）と、これに紐３を介して連結され、ワイシャツ６のボタン７に掛け止めされるボタン掛止め具４とで構成されている。
【００１６】
装飾チェーン２は、金属（例えば１８金など）から成り、ネクタイ５を内側に挿通可能な長さを有するループ状に形成されている。一方、図２に示すように、ボタン掛止め具４は、金属から成り、フック９と、これに回動自在に設けられた開閉部材１０とで構成されている。
【００１７】
フック９は、下方に開口した逆Ｕ字状のフック本体９ａと、フック本体９ａの右側の下端部から下方に延びる延設部９ｂとで構成されている。また、フック本体９ａの左側の下端部（以下、「左下端部」という）には、左方に若干突出した凸部１２が設けられている。さらに、フック本体９ａは、左右の下端部間に形成された開口部１１の横幅が、若干広がったり、狭まったりできるようなばね性を有している。なお、フック９に外力が作用していない状態では、フック本体９ａの左右の下端部間の横幅は、上端部の横幅Ｔ１よりも若干広くなっている。また、この横幅Ｔ１は、糸８でワイシャツ６に留められたボタン７の直径Ｔ２（例えば１ｃｍ）よりも狭くなっている。
【００１８】
開閉部材１０は、フック本体９ａの左右の下端部間の横幅よりも若干長く延びていて、その基端部（図２の右端部）が、フック本体９ａの右側の下端部に、支軸１３を介して回動自在に連結されている。また、開閉部材１０の先端部には、フック本体９ａの左下端部が挿入可能なスリット１４が形成されている。
【００１９】
次に、ネクタイ留め具１の使用方法について説明する。まず、ネクタイ留め具１のボタン掛止め具４を、ボタン７に掛け止めする。この場合には、図２（ａ）に示すように、開閉部材１０をフック本体９ａの左下端部から外し、開口部１１をあらかじめ開放する。次いで、フック９の延設部９ｂを摘みながら、開口部１１を介して、具体的には、フック本体９ａの左下端部と開閉部材１０の先端部との隙間を介して、ボタン７の裏側の糸８が通るように、その糸８にフック９を掛ける。そして、開閉部材１０を上方に回動させ、フック本体９ａの左下端部が開閉部材１０のスリット１４を貫通するように、開閉部材１０をフック本体９ａに係合させる。この場合、フック本体９ａのばね性、および開閉部材１０のスリット１４の左側面によるフック本体９ａの左下端部への押圧により、その左下端部は、右方に若干移動しながらスリット１４を貫通し、凸部１２が、開閉部材１０のスリット１４よりも先端側に突出する。これにより、図２（ｂ）に示すように、開閉部材１０の先端部が、フック本体９ａの左下端部に抜止め状態で係合し、フック９の開口部１１が閉鎖される。以上のようにして、ネクタイ留め具１のボタン掛止め具４をボタン７に掛け止めした後、ネクタイ５を装飾チェーン２の内側に上から挿通し、これにより、ネクタイ５がワイシャツ６に留められる。
【００２０】
また、ネクタイ留め具１のボタン掛止め具４をボタン７から取り外す場合には、フック本体９ａの左右の下端部を両側から摘み、力を加えることにより、フック本体９ａの左下端部を右方に若干移動させながら、開閉部材１０を下方に回動させる。これにより、フック本体９ａの左下端部と開閉部材１０のスリット１４との係合が解除され、それにより、開口部１１が開放される。その後、ボタン掛止め具４を、フック９の開口部１１を介して、ボタン７の裏側の糸８から取り外す。
【００２１】
以上のように、本実施形態によれば、装飾チェーン２がループ状であるので、その内側にネクタイ５を挿通することによって、装飾チェーン２をネクタイ５に装着でき、これにより、ネクタイ留め具１によって、ネクタイ５を傷めることなく、ワイシャツ６に留めることができる。また、ボタン掛止め具４のフック９を、開口部１１を介して、ボタン７の裏側の糸８に容易に掛けたり、外したりすることができる。さらに、フック９をボタン７の裏側の糸８に掛けた後、フック本体９ａの左下端部が開閉部材１０のスリット１４を貫通するように、開閉部材１０を上方に回動させることにより、開口部１１が閉鎖される。この場合、開閉部材１０のスリット１４がフック本体９ａの左下端部の凸部１２に対して抜け止め状態になるとともに、フック本体９ａのばね性により、開閉部材１０を支軸１３と反対の径方向（図２（ｂ）の左方）に付勢するので、開閉部材１０によって、フック９の開口部１１を強固に閉鎖することができる。これにより、ボタン掛止め具４をボタン７にしっかりと掛け止めすることができる。逆に、ボタン掛止め具４をボタン７から取り外す際には、フック本体９ａの左下端部が開閉部材１０のスリット１４から抜けるように、開閉部材１０を下方に回動させることにより、開口部１１が開放されるので、ボタン掛止め具４を、ボタン７から容易に取り外すことができる。 
【００２２】
図３は、本考案の第２実施形態によるネクタイ留め具のボタン掛止め具を示している。このボタン掛止め具２１のフック２２は、左斜め下方に開口するとともに、その開口部２３が若干広がったり、狭まったりできるようなばね性を有するＣ字状のフック本体２２ａと、このフック本体２２ａの下端部から下方に延びる延設部２２ｂとで構成されている。フック本体２２ａの開口部２３の左側の端部（以下、「先端部」という）には、開口部２３に向かってテーパ状に形成された角部２２ｃが設けられている。また、フック本体２２ａの下端部には、開口部２３を開閉する開閉部材２４が、その基端部の支軸２５を介して、回動自在に設けられている。開閉部材２４の先端部には、先端に向かってテーパ状に形成された角部２４ａが設けられている。
【００２３】
また、上記支軸２５には、開閉部材２４の角部２４ａを、フック本体２２ａの角部２２ｃに当接させるように付勢するばね（図示せず）が取り付けられている。このばねにより、開口部２３を開閉部材２４によって外側から閉鎖したときには、開閉部材２４の角部２４ａの上面が、フック本体２２ａの角部２２ｃの下面に当接し（図３（ａ）参照）、一方、開口部２３を開閉部材２４によって内側から閉鎖したときには、開閉部材２４の角部２４ａの下面が、フック本体２２ａの角部２２ｃの上面に当接する（図３（ｂ）参照）。
【００２４】
上記のボタン掛止め具２１をボタン７に掛け止めする場合には、図３（ａ）に示すボタン掛止め具２１、すなわち、開口部２３が開閉部材２４で外側から閉鎖されたボタン掛止め具２１の延設部２２ｂを摘みながら、開閉部材２４をボタン７の裏側の糸８に上方から当接させる。そして、この状態から、ボタン掛止め具２１を引き下げる。この場合、糸８からの反力によって、開閉部材２４が上方に回動し、この開閉部材２４によって、開口部２３が広がるように、フック本体２２ａの先端部が押圧される。そして、開閉部材２４の角部２４ａがフック本体２２ａの角部２２ｃを乗り越えることにより、両角部２４ａ，２２ｃ間の隙間を介して、フック本体２２ａの内側に、糸８が入り込む。糸８がフック本体２２ａの内側に入り込んだ直後には、開閉部材２４は、図示しないばねによって下方に回動するように付勢され、開閉部材２４の角部２４ａの下面が、フック本体２２ａの角部２２ｃの上面に当接する。以上により、ボタン掛止め具２１は、図３（ｂ）に示すように、ボタン７に掛け止めされる。
【００２５】
逆に、ボタン掛止め具２１をボタン７から取り外す場合には、図３（ｂ）に示すボタン掛止め具２１を、フック２２の延設部２２ｂを摘みながら押し上げる。これにより、開閉部材２４は、糸８に下方から当接し、糸８からの反力によって、開閉部材２４の角部２４ａが、フック本体２２ａの角部２２ｃを乗り越えるように、下方に回動する。この際、糸８が両角部２４ａ、２２ｃ間の隙間を介して、フック本体２２ａの内側から抜け、これにより、ボタン掛止め具２１がボタン７から取り外される。なお、この場合、開閉部材２４は、図３（ａ）に示す状態に復帰する。
【００２６】
以上のように、本実施形態によれば、ボタン掛止め具２１をボタン７に掛け止めしたときには、フック２２の開口部２３が開閉部材２４で閉鎖されるので、ボタン掛止め具２１をボタン７にしっかりと掛け止めすることができる。また、ボタン掛止め具２１をボタン７に掛け止めする場合には、ボタン掛止め具２１を、開閉部材２４が糸８に上方から当接するように引き下げ、一方、ボタン掛止め具２１をボタン７から取り外す場合には、ボタン掛止め具２１を押し上げることにより、ボタン掛止め具２１をボタン７に容易に着脱することができる。
【００２７】
図４は、本考案の第３実施形態によるネクタイ留め具のボタン掛止め具を示している。このボタン掛止め具３１は、フック３２および開閉部材３４を有している。フック３２は、上記第２実施形態と同様のばね（図示せず）を有するとともに、上方に開口したＣ字状のフック本体３２ａと、フック本体３２ａの下端部から下方に延びる延設部３２ｂとで構成されている。このボタン掛止め具３１は、フック本体３２ａの開口部３３が上方に開口していることのみが、上記第２実施形態と異なっており、その他の構成は第２実施形態と同様である。このボタン掛止め具３１をボタン７に掛け止めする場合には、図４（ａ）に示すボタン掛止め具３１を、ボタン７の裏側の糸８に向かって押し上げる。これにより、ボタン掛止め具３１は、図４（ｂ）に示すように、ボタン７に掛け止めされる。逆に、ボタン掛止め具３１をボタン７から取り外す場合には、図４（ｂ）に示すボタン掛止め具３１を引き下げる。これにより、ボタン掛止め具３１は、図４（ａ）に示すように、ボタン７から取り外される。
【００２８】
以上のように、本実施形態によれば、上述した実施形態と同様に、ボタン掛止め具３１をボタン７にしっかりと掛け止めすることができる。特に、ボタン掛止め具３１をボタン７から取り外す場合には、ボタン掛止め具３１を単純に引き下げるだけでよく、ボタン掛止め具３１の取り外しを非常に簡単に行うことができる。
【００２９】
なお、本考案は、説明した実施形態に限定されることなく、種々の態様で実施することが可能である。例えば、第１実施形態では、フック本体９ａの左下端部に凸部１２を設けるとともに、その凸部１２に抜け止め状態で係合するスリット１４を開閉部材１０に形成したが、開閉部材１０がフック本体９ａに係合することで、開口部１１を閉鎖できるものであればよい。例えば、フック本体９ａに凸部を設け、この凸部に抜け止め状態で係合する凹部を開閉部材１０に形成してもよく、また、これらの凸部と凹部の配置関係を逆にしてもよい。その他、本考案の趣旨の範囲内で、細部の構成を適宜、変更することが可能である。
【図面の簡単な説明】
【００３０】
【図１】本考案の第１実施形態によるネクタイ留め具を用い、ネクタイをワイシャツ留めた状態を示す正面図である。
【図２】第１実施形態のネクタイ留め具のボタン掛止め具を示す正面図であり、（ａ）ボタンへの掛け止め前、および（ｂ）ボタンへの掛け止め後の状態を示す。
【図３】第２実施形態のネクタイ留め具のボタン掛止め具を示す正面図であり、（ａ）ボタンへの掛け止め前、および（ｂ）ボタンへの掛け止め後の状態を示す。
【図４】第３実施形態のネクタイ留め具のボタン掛止め具を示す正面図であり、（ａ）ボタンへの掛け止め前、および（ｂ）ボタンへの掛け止め後の状態を示す。
【符号の説明】
【００３１】
１  ネクタイ留め具
２  装飾チェーン（ネクタイ装飾具）
４  ボタン掛止め具
５  ネクタイ
６  ワイシャツ
７  ボタン
８  糸
９  フック
１０  開閉部材
１１  開口部
１２  凸部
１４  スリット
２１  ボタン掛止め具
２２  フック
２３  開口部
２４  開閉部材
３１  ボタン掛止め具
３２  フック
３３  開口部
３４  開閉部材
【図１】
0003115840.tif 000003
【図２】
0003115840.tif 000004
【図３】
0003115840.tif 000005
【図４】
0003115840.tif 000006